(57)【特許請求の範囲】
【請求項１】
多角形の第１網目パターンを有する第１ネット部材（２１）と、多角形の第２網目パターンを有する第２ネット部材（２２）とを重ねることで、複合網目パターンが形成されており、
上記複合網目パターンは、相対的に異なる大きさの網目を含んでおり、
上記第１網目パターンと上記第２網目パターンは実質的に同じであって、両パターンがズレた位置関係で第１ネット部材（２１）と第２ネット部材（２２）が重ねられて、上記複合網目パターンを構成している、カツラベース。
【請求項２】
上記第１網目パターンを構成する糸材（２１ａ）と、上記第２網目パターンを構成する
糸材（２２ａ）とが、互いの交点の少なくとも１箇所において連結固定されている、請求
項１記載のカツラベース。
【請求項３】
請求項１または２に記載のカツラベースに擬毛を植えてなる、カツラ。
【発明の詳細な説明】
【技術分野】
【０００１】
本発明は、擬毛（人工毛または天然毛）を植えることでカツラを構成するカツラベース、およびこれを用いて構成されるカツラに関する。
【背景技術】
【０００２】
網目を有するネット部材をカツラベースとし、当該網目を構成する糸材に擬毛を植えて構成されるカツラは、従来から多数知られている（例えば、特許文献１〜３）。
【先行技術文献】
【特許文献】
【０００３】
【特許文献１】特開平９−２７３０１６号
【特許文献２】特開平９−３２４３１７号
【特許文献３】特開２０１４−７７２０８号
【発明の概要】
【発明が解決しようとする課題】
【０００４】
本発明は、上のような従来技術を前提として、植えられた擬毛のボリューム感（ふんわり感）をさらに高めることを目的としている。
【課題を解決するための手段】
【０００５】
本発明のカツラベースにおいては、「多角形の第１網目パターンを有する第１ネット部材」と「多角形の第２網目パターンを有する第２ネット部材」とを重ねることで、複合網目パターンが形成されている。この複合網目パターンは、相対的に異なる大きさ（開口面積）の網目を含んでいる。
【０００６】
本発明においていう「複合網目パターン」の意味は、次の通りである。２枚のネット部材が存在して、それぞれが有する網目を「第１網目パターン」および「第２網目パターン」とする。このとき、当該２枚のネット部材を重ねることで表れる網目パターンを「複合網目パターン」とする。「複合網目パターン」は、単一の各ネット部材中には存在せず、両ネット部材を重ねることで初めて表れる網目パターンである。
本発明の「複合網目パターン」には、相対的に異なる大きさの網目が含まれる。
【０００７】
「第１網目パターン」と「第２網目パターン」は、実質的に同じものであっても、異なるものであってもよい。「第１網目パターン」と「第２網目パターン」が実質的に同じものである場合には、２つのネット部材を適宜ズラして重ねることで、相対的に異なる大きさの網目を含む「複合網目パターン」を形成する。
【発明の効果】
【０００８】
上記構成を有する本発明のカツラベースでは、相対的に小さい網目を構成する糸材に対して擬毛を植えると、当該領域では各擬毛の距離が小さいので、擬毛同士が根本付近から互いに支え合い、その結果、各擬毛は根本から強く立ち上がる。
一方、相対的に大きい網目を構成する糸材に対して擬毛を植えると、当該領域では各擬毛の距離が大きいので、擬毛は全体的にふわっとした印象が強くなる。しかも、当該領域の周辺には、擬毛が根本から強く立ち上がる網目が存在するので、当該ふわっとした印象の擬毛が倒れることが防止され、ふんわり感を持続することができる。
【０００９】
このように本発明では、「複合網目パターン」に相対的に大きさの異なる網目が含まれているために、「各擬毛間の間隔が比較的狭く、擬毛が根本から強く立ち上がる領域」と「各擬毛間の距離が比較的大きく、ふわっとした印象が強い領域」が混在し、全体としてふんわりとしたボリューム感の高いカツラを実現することができる。しかも、ふんわり感の強い擬毛も、根本から強く立ち上がる周辺の擬毛に支えられることで、倒れることが防止され、ふんわり感を長く維持することが可能となる。
【００１０】
また、本発明のカツラベースでは、２枚のネット部材を重ね合わせることで上記「複合網目パターン」を形成しているが故に、１枚１枚のネット部材については、網目パターンは、単純な多角形とすれば足りる。
したがって、複雑な網目パターンを有する１枚のネット部材を作る必要が無く、製造工程（網み工程）を簡単化できる。また、各ネット部材において、網目を構成する糸材の径を細くすることが可能であるため、「擬毛の脱落が生じにくい」、「糸材を擬毛で隠し易いので迷彩効果が高まる」というメリットがある。これらについては、実施形態において詳しく説明する。
【図面の簡単な説明】
【００１１】
【図１】本発明の第１実施形態に係るカツラベースを示す説明図。
【図２】本発明の第１実施形態に係るカツラベースを示す説明図。
【図３】本発明の第２実施形態に係るカツラベースを示す説明図。
【図４】本発明の第３実施形態に係るカツラベースを示す説明図。
【図５】本発明の第４実施形態に係るカツラベースを示す説明図。
【発明を実施するための形態】
【００１２】
本発明の実施形態を、添付の図面を参照して以下に説明する。図１は、第１実施形態に係るカツラベース１０の構造を示す説明図である。
図１（ａ）に示したように、カツラベース１０は、中央の網目領域２０と、その周辺を固定する外周部３０とで構成される。図２（ｂ）に示すように、網目領域２０に擬毛（人工毛または天然毛）を植えることでカツラが構成される。
【００１３】
網目領域２０は、第１ネット部材２１と第２ネット部材２２を重ねて構成されている。図示の例では、両ネット部材２１、２２は、実質的に同一の６角形の網目を多数備えている。図１（ｂ）に示したように、両ネット部材２１、２２は、互いにズラして配置されることで「複合網目パターン」を形成している。
【００１４】
《複合網目パターン》
本発明においていう「複合網目パターン」について説明する。第１ネット部材２１が有する網目を「第１網目パターン」とし、第２ネット部材２２が有する網目を「第２網目パターン」とする。
図１の例では、「第１網目パターン」と「第２網目パターン」は、共に６角形で、大きさが等しい。そして、第１ネット部材２１と第２ネット部材２２が互いにズラして配置されることで、図１（ｂ）に表れる「複合網目パターン」を形成している。
このように、「複合網目パターン」とは、重ね合わされる２枚のネット部材に関して、個々のネット部材が単独で有する網目パターンではなく、重ね合わされたときに初めて表れる複合的な網目パターンのことを意味する。
【００１５】
なお、後述するように、「第１網目パターン」と「第２網目パターン」は異なるパターンであってもよい。「第１網目パターン」と「第２網目パターン」が、図１の例のように、互いに等しい形状である場合には、「複合網目パターン」を形成するため両ネット部材２１、２２の位置を互いにズラす必要があるが、「第１網目パターン」と「第２網目パターン」が異なる場合には、２つのネット部材を単に重ねるだけで「複合網目パターン」が形成される。
【００１６】
本発明においては、「複合網目パターン」は、相対的に大きさの異なる網目を含んでいる。これについて、図２を参照して説明する。図２（ａ）は、図１（ｂ）に示した網目領域２０を再度示している。
図から分かるように、「複合網目パターン」には、菱形の網目２０ａと、六角形の網目２０ｂが含まれていて、両者を比較すると、相対的に網目２０ａが網目２０ｂよりも小さい（開口面積が小さい）。逆に言うと、このように網目の大きさに相対的な大小が生じることとなるように、２枚のネット部材２１、２２をズラして配置する。
「複合網目パターン」として表れる各網目の具体的形状は、どのような形状であってもよい。
【００１７】
《複合網目パターンが異なる大きさの網目を有することによる効果》
図２（ｂ）では、説明を明瞭にするため、網目領域２０に植えられる擬毛を一部分だけ図示している。また、図では各網目の内部から擬毛が出ているように描いているが、実際には、各擬毛は網目を構成する糸材に対して植えられる。
【００１８】
図２（ｂ）に模式的に示したように、相対的に小さい網目２０ａを構成する糸材に対して擬毛を植えると、当該領域では各擬毛の距離が小さいので、擬毛同士が根本付近から互いに支え合い、その結果、各擬毛は根本から強く立ち上がる。
一方、相対的に大きい網目２０ｂを構成する糸材に対して擬毛を植えると、当該領域では各擬毛の距離が大きいので、擬毛は全体的にふわっとした印象が強くなる。しかも、当該領域の周辺には、擬毛が根本から強く立ち上がる網目２０ａが存在するので、当該ふわっとした印象の擬毛が倒れることが防止され、ふんわり感を持続することができる。
【００１９】
このように本発明では、「複合網目パターン」に相対的に大きさの異なる網目が含まれているために、「各擬毛間の間隔が比較的狭く、擬毛が根本から強く立ち上がる領域」と「各擬毛間の距離が比較的大きく、ふわっとした印象が強い領域」が混在し、全体としてふんわりとしたボリューム感の高いカツラを実現することができる。しかも、ふんわり感の強い擬毛も、根本から強く立ち上がる周辺の擬毛に支えられることで、倒れることが防止され、ふんわり感を長く維持することが可能となる。
【００２０】
《２枚のネット部材２１、２２を用いることのメリット》
なお、相対的に大きさの異なる網目を含む網目パターンは、２枚のネット部材２１、２２を重ねるのではなく、１枚のネット部材で実現することも理論的には可能である。しかし、本発明では２枚のネット部材２１、２２を重ねてそれを実現している。それによるメリットは、次の通りである。
【００２１】
（１）１枚のネット部材で異なる大きさの網目を含むように構成することは、当該ネット部材の編み工程が複雑となるので、好ましくない。
それに対して、本発明のように２枚のネット部材２１、２２を使用すれば、各ネット部材は単純な形状の網目を有していれば足りるので、製造が簡単になる。
【００２２】
（２）１枚のネット部材で異なる大きさの網目を含むように構成しようとすると、当該ネット部材の編み工程が複雑となり、一般的に、網目を構成する糸材同士が複雑に行き来して、最終的に網目を構成する各糸材の径が大きくなる傾向がある。そして、糸材の径が大きくなると、そこに植えられる擬毛の結び目が緩み易くなる（擬毛が脱落し易くなる）という欠点がある。
それに対して本発明では、１枚１枚のネット部材の網目形状は単純であり、糸材の径を細くすることが簡単であり、したがって、擬毛の脱落が生じ難い。
また、一般的傾向として、カツラベースを構成する糸材が太くなる程、そこに植えた擬毛で当該糸材を隠蔽することが難しくなる。本発明では、上記の通り、糸材の径を細くすることが簡単であり、よって、糸材の隠蔽が簡単となる（カツラの迷彩効果が高い）。
【００２３】
なお、重ねて使用される２枚のネット部材２１、２２について、各ネット部材の網目を構成する糸材同士の交点は、擬毛や糸材等で縛る等して連結固定することが好ましい。
すなわち、図２（ｃ）に詳しく示したように、第１ネット部材２１の網目を構成する糸材２１ａと、第２ネット部材２２の網目を構成する糸材２２ａとの交点Ｇにおいて、両糸材を、植えられる擬毛（あるいは、他の適当な糸材等）で結んで固定する。このような固定は必ずしも必要ではないが、固定することによって、２枚のネット部材２１、２２の一体性を高めることができる。
なお、図２（ｃ）ではすべての交点について上記固定を行っているが、連結固定する交点Ｇの数は任意である。
【００２４】
《他の実施形態》
本発明において、第１ネット部材２１、第２ネット部材２２の具体的な形態は、図１、２に示したものに限定されない。図３〜図５には、上記と同様の効果が得られる第２、第３、第４の実施形態を示している。
いずれの実施形態においても、「多角形の第１網目パターンを有する第１ネット部材」と「多角形の第２網目パターンを有する第２ネット部材」が重ねられて、「複合網目パターン」が形成されており、当該「複合網目パターン」には、相対的に異なる大きさの網目が含まれている。
【００２５】
なお、図３〜図５は、いずれも２つのネット部材の重なり態様を説明するものであり、実際のカツラベースを構成する際には、図１（ａ）に示したように、外周部３０を設けて頭部にフィットする形状とされる。
【００２６】
第１実施形態（図１、２）では、２つのネット部材２１、２２が有する網目は互いに等しいものであった。一方、第２〜第４実施形態（図３〜５）で、２つのネット部材の網目は互いに異なっている。
このように、本発明では、一方のネット部材の「第１網目パターン」と他方のネット部材の「第２網目パターン」は、互いに同じであっても、異なっていてもよく、両ネット部材を重ねた結果として表れる「複合網目パターン」が、相対的に異なる大きさの網目を含んでいれば足りる。
【００２７】
各網目の具体的形状も特定のものには限定されず、例えば、６角形、４角形、３角形、その他、任意の形状を採用することが可能である。
【符号の説明】
【００２８】
１０  カツラベース
２０  網目領域
２１  第１ネット部材
２２  第２ネット部材
３０  外周部
【要約】
【課題】ネット部材からなるカツラベースに擬毛を植えて構成されるカツラにおいて、植えられた擬毛のボリューム感（ふんわり感）を高める。
【解決手段】多角形の第１網目パターンを有する第１ネット部材２１と、多角形の第２網目パターンを有する第２ネット部材２２とを重ねることで、複合網目パターンが形成されてなるカツラベース。複合網目パターンは、相対的に異なる大きさの網目２０ａ、２０ｂを含んでいる。相対的に小さい網目２０ａの領域では、植えられる各擬毛の距離が小さいので、擬毛同士が根本付近から互いに支え合い、その結果、各擬毛は根本から強く立ち上がる。相対的に大きい網目２０ｂの領域では、各擬毛の距離が大きいので、擬毛は全体的にふわっとした印象が強くなる。これらが混在することで、全体としてふんわりとしたボリューム感の高いカツラを実現することができる。
【選択図】図２【図１】
0005810231.tif 000002
【図２】
0005810231.tif 000003
【図３】
0005810231.tif 000004
【図４】
0005810231.tif 000005
【図５】
0005810231.tif 000006